(57)【要約】【課題】マスク使用者の個人個人の顔の形状、大きさに合わせた理想的マスクで、かつランニングコストが安価なマスクの提供を目的とする。【解決手段】本発明のマスクは、空気の流通が可能なフィルター部材（１０）と前記フィルター部材を顔面の所定位置に装着するための装着部本体（２０）と耳掛け部（３０）とを有し、前記装着部本体（２０）はフレーム枠（２１）と、前記フレーム枠（２１）に対して前記フィルター部材（１０）を着脱可能に取付ける着脱機構（２２）により上記の課題を解決する。【選択図】図１
2015150317.tif 000002
【特許請求の範囲】
【請求項１】
顔面の鼻孔部または口腔部を少なくとも覆うマスクにおいて、
前記マスクは、空気の流通が可能なフィルター部材と前記フィルター部材を顔面の所定位置に装着するための装着部本体と耳掛け部とを有し、
前記装着部本体はフレーム枠と、前記フレーム枠に対して前記フィルター部材を着脱可能に取付ける着脱機構を備えていることを特徴とする顔面装着用マスク。
【請求項２】
少なくとも前記フレーム枠は可撓性があり、前記装着部本体を当該顔面にフィットさせた状態に調整した後は前記フィットさせた状態が所定期間保持されていることを特徴とする請求項１記載の顔面装着用マスク。
【請求項３】
少なくとも前記フレーム枠は合成樹脂で構成されていることを特徴とする請求項１または２記載の顔面装着用マスク。
【請求項４】
少なくとも前記フレーム枠は芯材を備え、前記芯材が形状記憶合金であることを特徴とする請求項１〜３何れか一項記載の顔面装着用マスク。
【請求項５】
前記フレーム枠は、複数のフレーム部材が接合されてなることを特徴とする請求項１〜４の何れか一項記載の顔面装着用マスク。
【請求項６】
前記装着部本体は、少なくとも一つの面を構成するフレーム部材の組と当該フレーム部材の組に対応する着脱部材を単位とする部分装着部に分解し、前記分解した部分装着部同士を再び取付けることにより元の装着部材に戻せるようにしたことを特徴とする請求項５記載の顔面装着用マスク。
【請求項７】
前記耳掛け部はゴム製素材で構成されていることを特徴とする請求項１から６の何れか一項記載の顔面装着用マスク。
【請求項８】
前記耳掛け部は可撓性があり、前記耳掛け部を当該顔面にフィットさせた状態に調整した後は前記フィットさせた状態が前記耳掛け部に所定期間保持されていることを特徴とする請求項１から６の何れか一項記載の顔面装着用マスク。
【請求項９】
前記耳掛け部は合成樹脂で構成されていることを特徴とする請求項８記載の顔面装着用マスク。
【請求項１０】
前記耳掛け部は芯材を備え、前記芯材が形状記憶合金であることを特徴とする請求項８または９記載の顔面装着用マスク。
【発明の詳細な説明】
【技術分野】
【０００１】
本発明は、顔面の鼻孔部または口腔部を少なくとも覆う顔面装着用のマスクに関する。
【背景技術】
【０００２】
顔面装着して使用するマスク（以下、単にマスクという）には、ウイルスや花粉対策用のマスクであって、繰り返し使用を目的としない所謂使い捨てマスクと呼ばれるものがある。他方、防毒防塵用の高機能マスクであって、目的に応じて専用の交換フィルターが用意され、当該フィルターをゴムあるいは樹脂からなるマスク本体部に装着した状態で顔面に完全にフィットさせて使用する所謂防毒マスクのようなものもある。しかしながらこのようなものはマスク本体部の値段も高価であり、さらに専用の交換フィルターも高価である。
【０００３】
前者の使い捨てマスクにも目的や用途に応じて様々な形態のものがあるが、その使い捨てマスクの使用目的は、花粉、埃、咳によるウイルスの飛散防止などが主かと思われる。
また使い捨てマスクの使用場所は、通勤通学路、病院、学校、職場、あるいは家庭などが主かと思われる。
【０００４】
このような使い捨てマスクにおいても、例えば、顔面にフィットしかつ口紅や唇がマスクに触れないような形状に改善された優れたものがある。（例えば特許文献１参照）
また、マスクと顔の間に隙間を少なくして密閉性向上を図るため、フィルター部分の鼻柱に位置するところにワイヤーが入っているものなどもある。
【先行技術文献】
【特許文献】
【０００５】
【特許文献１】特許第４９１７３１２号公報
【発明の概要】
【発明が解決しようとする課題】
【０００６】
しかしながら、マスクを製造するメーカー各社においてはマスク使用者の個人差、性差、年齢差を考慮した異なるサイズのものを展開しているが、マスク使用者の個人個人の顔の形状、大きさに合わせた理想的な形状のものはない。
そこで本発明は、マスク使用者の個人個人の顔に合わせた顔面装着用マスクであって、使用に際してのランニングコストが安価なマスクの提供を目的とする。
【課題を解決するための手段】
【０００７】
本発明の顔面装着用マスクは、以下の各態様に記載の手段により上記の課題を解決するものである。
【０００８】
本発明の第１の態様は、顔面の鼻孔部または口腔部を少なくとも覆うマスクにおいて、
前記マスクは、空気の流通が可能なフィルター部材（１０）と前記フィルター部材を顔面の所定位置に装着するための装着部本体（２０）と耳掛け部（３０）とを有し、
前記装着部本体（２０）はフレーム枠（２１）と、前記フレーム枠（２１）に対して前記フィルター部材（１０）を着脱可能に取付ける着脱機構（２２）を備えていることを特徴とする顔面装着用マスク（１）である。
【０００９】
前記第１の態様によれば、前記フィルター部材（１０）を前記フレーム枠（２１）と前記着脱機構（２２）との間に挟持させて取付けることが可能である。例えば、前記フレーム枠（２１）と前記着脱機構（２２）との対向面の間に前記フィルター部材（１０）を挟み込んでから前記フレーム枠（２１）と前記着脱機構（２２）を嵌合させる機構とすればよい。フィルター部材（１０）を取り外す際は、前記フレーム枠（２１）から前記着脱機構（２２）を引っ張れば前記嵌合が外れる機構とすればよい。
【００１０】
本発明の第２の態様は、前記第１の態様において、少なくとも前記フレーム枠（２１）は可撓性があり、前記フレーム枠（２１）を当該顔面にフィットさせた状態に調整した後は前記フィットさせた状態が前記フレーム枠（２１）に所定期間保持されていることを特徴とする。
【００１１】
本発明の第３の態様は、前記第１または前記第２の態様において、少なくとも前記フレーム枠（２１）は合成樹脂で構成されていることを特徴とする。
【００１２】
本発明の第４の態様は、前記第１〜３の何れかの態様において、少なくとも前記フレーム枠（２１）は芯材を備え、前記芯材が形状記憶合金であることを特徴とする。
【００１３】
第４の態様によれば、前記フレーム枠（２１）が形状記憶合金からなる芯材を備えているので、当該形状記憶合金に対して当該形状記憶合金の形状記憶状態が開放される一定の条件（例えば熱）を加えた状態でフレーム枠（２１）を所定形状に調整し、調整完了後に前記条件を開放することで前記フレーム枠（２１）の形状を確実に保持できる。
【００１４】
本発明の第５の態様は、前記第１〜４の何れかの態様において、前記フレーム枠（２１）は、複数のフレーム部材（２１０）が接合されてなることを特徴とする。
【００１５】
第５の態様によれば、前記フレーム枠（２１）は、複数のフレーム部材（２１０）が接合されてなるものである。それ故、フレーム部材（２１０）の種類として太さや長さの異なるものを用意しておくことで当該マスク装着者の顔面形状や大きさに応じてフレーム部材（２１０）を自由に選択して組み合わせることが可能となる。
【００１６】
なお、個々のフレーム部材同士の接合は、個々のフレーム部材端部に嵌合構造を設ければよい。  前記嵌合構造としては、例えばネジ込み式や差込み式が挙げられる。
【００１７】
本発明の第６の態様は、前記第５の態様において、前記装着部本体（２０）は、少なくとも一つの面を構成するフレーム部材（２１０）の組と当該フレーム部材（２１０）の組に対応する着脱部材を単位とする部分装着部（２０ａ，２０ｂ）に分解し、前記分解した部分装着部（２０ａ，２０ｂ）同士を再び取付けることにより元の装着部本体（２０）に戻せるようにしたことを特徴とする。
【００１８】
本発明の第７の態様は、前記第１〜６の何れかの態様において、前記耳掛け部（３０）はゴム製素材で構成されていることを特徴とする。
【００１９】
本発明の第７の態様は、前記第１〜６の何れかの態様において、前記耳掛け部（３０）は可撓性があり、前記耳掛け部（３０）を当該顔面にフィットさせた状態に調整した後は前記フィットさせた状態が前記耳掛け部（３０）に所定期間保持されていることを特徴とする。
【００２０】
本発明の第９の態様は、前記第８の態様において、前記耳掛け部（３０）は合成樹脂で構成されていることを特徴とする。
【００２１】
本発明の第１０の態様は、前記第８または前記第９の態様において、前記耳掛け部（３０）は芯材を備え、前記芯材が形状記憶合金であることを特徴とする。
【００２２】
第１０の態様によれば、前記耳掛け部（３０）が形状記憶合金からなる芯材を備えているので、当該形状記憶合金に対して当該形状記憶合金の形状記憶状態が開放される一定の条件（例えば熱）を加えた状態で耳掛け部（３０）の形状を調整し、調整完了後に前記条件を開放することで前記耳掛け部（３０）の形状を確実に保持できる。
【発明の効果】
【００２３】
本発明によれば、顔面の鼻孔部または口腔部を少なくとも覆うマスクにおいて、前記マスクを構成するフィルター部材と装着部本体と耳掛け部のうち、前記フィルター部材以外の部材を繰り返し使用することができる。
前記装着部本体と前記耳掛け部は当該マスクを使用する者の顔面の形状に合わせて調整したものを使用することができる。
【図面の簡単な説明】
【００２４】
【図１】本実施形態にかかるマスクの斜視図である。
【図２】本実施形態にかかるマスクの構造を示す図である。
【図３】本実施形態にかかるフィルター部材の着脱機構の一例を示す図である。
【図４】本実施形態にかかるマスクの変形例を示す図である。
【発明を実施するための形態】
【００２５】
以下、本発明の顔面装着用マスクの実施形態について図面を参照して説明する。
図１は本実施形態にかかるマスクの斜視図であって、１０はフィルター部材、２０は装着部本体、３０は耳掛け部、１はマスクを示している。
マスク１は顔面の鼻孔部または口腔部を少なくとも覆うマスクとして使用される形状をしており、空気の流通が可能なフィルター部材１０と前記フィルター部材１０を顔面の所定位置に装着するための装着部本体２０と、前記装着部本体２０の左右二箇所に設けられた耳掛け部３０から構成されている。
【００２６】
図1（ａ）は、耳掛け部３０が例えばゴム紐のようなゴム製素材で構成されている例を示している。図1（ｂ）は、耳掛け部３０が可撓性のある材料で構成されている例を示している。可撓性のある材料としては、後述のフレーム枠２１に使用する材料と共通の材料あるいは構造のものを使用することができる。
【００２７】
以下の例においては、特に断りが無い限り耳掛け部３０がゴム製素材で構成されている場合について説明する。
【００２８】
図２は本実施形態にかかるマスクの構造を示す図である。図２に示すように、マスク１はフィルター部材１０、装着部本体２０、ならびに二つの耳掛け部３０から構成されている。耳掛け部３０は装着部本体２０に対して着脱可能に取り付けられており、矢印Ｐ１、Ｐ２で示すように取り外すことが可能です。勿論、取り外した耳掛け部３０を再び装着部本体２０に取付けたり、他の耳掛け部と交換することも可能である。
前記装着部本体２０はフレーム枠２１と、前記フレーム枠２１に対して前記フィルター部材１０を着脱可能に取り付ける着脱機構２２を備えている。
【００２９】
前記フィルター部材１０は前記フレーム枠２１と前記着脱機構２２との間に挟持させて取り付けられている。フィルター部材１０の交換に際しては、まず矢印Ｐ４のように前記フレーム枠２１から前記着脱機構２２を取り外す。次いで矢印Ｐ５のようにフィルター部材１０を取り出す。次いで新しいフィルター部材１０を用意し、矢印Ｐ６のように新しいフィルター部材１０をフレーム枠２１にセットする。最後に矢印Ｐ７のように前記着脱機構２２をフレーム枠２１に取り付ける。
【００３０】
図３（ａ）（ｂ）は本実施形態にかかるフィルター部材の着脱機構の一例を示す図である。図３（ａ）に示すように、装着部本体２０はフレーム枠２１と着脱機構２２との対向面が嵌合する構造になっており、前記フレーム枠２１と前記着脱機構２２との対向面の間に前記フィルター部材１０を挟み込んでから前記フレーム枠２１に対して前記着脱機構２２を矢印Ｐ７の方向に押し込むことで図３（ｂ）の如くフィルター部材１０を装着部本体２０に挟持せことができる。
前記フィルター部材１０を装着部本体２０から取り外す際は、図３（ａ）の如く前記フレーム枠２１から前記着脱機構２２を矢印Ｐ４の方向に引っ張ればよい。
【００３１】
以上説明したフレーム枠２１は、一体的に作られた構造でもよいが、複数のフレーム部材２１０を組合わせて接合した構造でもよい。
例えば、装着部本体２０を構成するフレーム枠２１が、複数のフレーム部材２１０を接合したり外したりすることが可能な構造であればフレーム部材２１０の種類として太さや長さの異なるものを用意しておき、当該マスク装着者の顔面形状や大きさに応じてフレーム部材２１０を自由に選択して組み合わせることが可能となる。
なお、個々のフレーム部材２１０同士の接合は、個々のフレーム部材端部に嵌合構造を設ければよい。前記嵌合構造としては、例えばネジ込み式や差込み式が挙げられる。
【００３２】
図４は本実施形態にかかるマスクの変形例を示す図である。
前記装着部本体２０は、少なくとも一つの面を構成するフレーム部材２１０の組と当該フレーム部材２１０の組に対応する着脱部材２２０を単位とする部分装着部２０ａ，２０ｂに分解し（矢印Ｑ１）、前記分解した部分装着部２０ａ，２０ｂ同士を再び取付けることにより元の装着部本体２０に戻せるようにすることができる（矢印Ｑ２）。
【００３３】
例えば前記部分装着部２０ｂが装着者の口元を覆う部分であり、前記部分装着部２０ａが鼻孔を覆う部分であるとすると、マスク装着者が本実施形態のマスクを装着した状態で前記部分装着部２０ｂの口元を覆う部分のみ取り外すことが可能となる。この場合、部分装着部２０ａの取り外し部分に隔壁（図示せず）を設けることで鼻孔に対するフィルター効果を発揮させることができる。これにより、口元を覆う部分装着部２０ｂのみ取り外し、前記部分装着部２０ａによって鼻孔のみを覆うことができるので、鼻孔のみを覆った状態で飲食をすることも可能となる。
【００３４】
以上説明した装着部本体２０を構成するフレーム枠２１は可撓性があり、前記フレーム枠２１を当該顔面にフィットさせた状態に調整した後は前記フィットさせた状態が前記フレーム枠２１に所定期間保持されているものが好適である。
【００３５】
例えば、装着者の肌に触れる装着部本体２０を構成するフレーム枠２１や着脱機構２２、さらに耳掛け部３０などに使用する素材としては、金、白金、チタン、これらの合金、あるいは天然の樹脂素材の代表であるべっ甲などが挙げられる。合成樹脂素材としてはアセチルセルロース、エポキシ系樹脂などが挙げられる。
【００３６】
殊に、フレーム枠２１は装着者に合わせて形状を調整した後でも長期間その形状が保持されているものが好適である。そのためフレーム枠２１は芯材を備えていてもよい。例えば、フレーム枠２１を断面から見たときに、内部に金属性の芯材を備え、前記芯材の回りを合成樹脂で覆うようにしてもよい。
【００３７】
前記芯材としては特に形状記憶合金からなるものが好ましい。芯材として形状記憶合金を用い、当該形状記憶合金に対して形状記憶状態が開放される一定の条件（例えば熱）を加えた状態でフレーム枠２１を所定形状に調整し、調整完了後に前記条件を開放することで前記フレーム枠２１の形状を確実に保持できる。
【００３８】
なお、フレーム枠２１や着脱機構２２や耳掛け部３０に使用する素材として金属あるいは合金を使用する場合は、金属アレルギーに配慮し、少なくとも肌に触れる部分は非アレルゲンの素材でコーティングしたものが好ましい。
【符号の説明】
【００３９】
１    マスク
１０    フィルター部材
２０    装着部本体
２０ａ  部分装着部
２０ｂ  部分装着部
２１    フレーム枠
２１０    フレーム部材
２２    着脱機構
２２０    着脱部材
３０    耳掛け部
【図１】
2015150317.tif 000003
【図２】
2015150317.tif 000004
【図３】
2015150317.tif 000005
【図４】
2015150317.tif 000006